(57)【要約】【課題】木製プランターを仮囲いパネルに強固に固定し、かつ外部からの衝撃等から木製プランターを保護する仮設緑化ユニットを提供することを目的とする。【解決手段】仮囲いパネルと、取付金具と、箱状の木製プランターと、を備える仮設緑化ユニットであって、前記仮囲いパネルは、緑化用開口部が形成されたパネル本体と、前記パネル本体の端部に形成された段差形状部と、を備え、前記段差形状部は、前記パネル本体と平行に延在する取付面を備え、前記取付金具は、少なくとも、前記取付面に取り付けられるフランジ部と、前記木製プランターの側壁に沿って前記フランジ部から延在するプランター側壁保護板と、を有し、前記取付金具のうち、前記フランジ部は、第一締結部材を用いて前記取付面と固定されており、前記プランター側壁保護板は、第二締結部材を用いて前記側壁と固定されていることを特徴とする。【選択図】図１
2018193773.tif 000002
【特許請求の範囲】
【請求項１】
仮囲いパネルと、取付金具と、箱状の木製プランターと、を備える仮設緑化ユニットであって、
前記仮囲いパネルは、緑化用開口部が形成されたパネル本体と、前記パネル本体の端部に形成された段差形状部と、を備え、
前記段差形状部は、前記パネル本体と平行に延在する取付面を備え、
前記取付金具は、少なくとも、前記取付面に取り付けられるフランジ部と、前記木製プランターの側壁に沿って前記フランジ部から延在するプランター側壁保護板と、を有し、
前記取付金具のうち、前記フランジ部は、第一締結部材を用いて前記取付面と固定されており、前記プランター側壁保護板は、第二締結部材を用いて前記側壁と固定されていることを特徴とする仮設緑化ユニット。
【請求項２】
前記取付金具はさらに、前記プランター側壁保護板の端部から前記木製プランターの背壁に沿って延在するプランター背壁保護板を有することを特徴とする請求項１に記載の仮設緑化ユニット。
【請求項３】
前記取付金具はさらに、前記プランター側壁保護板の下端部から前記木製プランターの底壁に沿って延出し、前記木製プランターを下方から支持するプランター支持板を有することを特徴とする、請求項１に記載の仮設緑化ユニット。
【請求項４】
前記木製プランターには、緑化植物を植栽する棚部であって、前記背壁から上斜方向に延びる棚部が上下多段に設けられており、
前記棚部の基端部には複数の通水孔が形成されていることを特徴とする、請求項１乃至３のいずれかに記載の仮設緑化ユニット。
【請求項５】
前記木製プランターには、緑化植物を植栽する棚部であって、空隙を挟んで前記背壁から離隔した離隔位置から上斜方向に延びる棚部が、上下多段に設けられており、
前記空隙にはメッシュ状のシートが配設されていることを特徴とする、請求項１乃至３のいずれかに記載の仮設緑化ユニット。
【請求項６】
前記側壁及び前記プランター側壁保護板を貫通して前記側壁の厚み方向に延びる潅水ホースが、最上段に位置する前記棚部の上方に配設され、
前記潅水ホースには、前記最上段に位置する前記棚部に向かって潅水する複数の水供給孔が形成されていることを特徴とする、請求項４又は５に記載の仮設緑化ユニット。
【請求項７】
請求項６に記載の仮設緑化ユニットが前記厚み方向に複数並設された仮設壁であって、
前記厚み方向に隣接する前記仮設緑化ユニットのうち、一方の前記仮設緑化ユニットに配設された前記潅水ホースの端部と、他方の前記仮設緑化ユニットに配設された前記潅水ホースの端部とを接続するためのジョイント部材が設けられていることを特徴とする仮設壁。
【発明の詳細な説明】
【技術分野】
【０００１】
本発明は、建設現場等において外部との境界を区画し、また、外部からの視界を遮断するための仮囲いパネルを緑化する仮設緑化ユニット等に関するものである。
【背景技術】
【０００２】
従来、通行人の安全確保や外部からの視界遮断を目的として、建設現場等の周囲を仮囲いパネルで覆って区画する方式が用いられている。しかし、この仮囲いパネルは、薄鋼板を用いて製造されるものであり、通行人などに殺伐とした印象を与える可能性があった。また、近年、地球温暖化などの環境問題の改善が重要視されている。
【０００３】
そこで、仮囲いパネルの見栄え及び環境問題を改善するため、特許文献１のような仮囲いパネルが提案されている。
【０００４】
特許文献１には、板状部分に開設した窓の裏面側に、緑化用ポットを収納するポット収納部を着脱可能に設けた仮囲い用パネルが開示されている。
【先行技術文献】
【特許文献】
【０００５】
【特許文献１】特開２００９−０９１８７０号公報
【発明の概要】
【発明が解決しようとする課題】
【０００６】
しかし、特許文献１に開示されている仮囲いパネルでは、ポット収納部と緑化用ポットとを固定することは何ら考慮されておらず、ポット収納部に外部から衝撃等が加わった場合、緑化用ポットが傾倒することが懸念される。
【０００７】
そこで、本発明は、木製プランターを仮囲いパネルに強固に固定し、かつ外部からの衝撃等から木製プランターを保護する仮設緑化ユニットを提供することを目的とする。
【課題を解決するための手段】
【０００８】
上記課題を解決するために、本発明の仮設緑化ユニットは、（１）仮囲いパネルと、取付金具と、箱状の木製プランターと、を備える仮設緑化ユニットであって、前記仮囲いパネルは、緑化用開口部が形成されたパネル本体と、前記パネル本体の端部に形成された段差形状部と、を備え、前記段差形状部は、前記パネル本体と平行に延在する取付面を備え、前記取付金具は、少なくとも、前記取付面に取り付けられるフランジ部と、前記木製プランターの側壁に沿って前記フランジ部から延在するプランター側壁保護板と、を有し、前記取付金具のうち、前記フランジ部は、第一締結部材を用いて前記取付面と固定されており、前記プランター側壁保護板は、第二締結部材を用いて前記側壁と固定されていることを特徴とする。
【０００９】
（２）前記取付金具はさらに、前記プランター側壁保護板の端部から前記木製プランターの背壁に沿って延在するプランター背壁保護板を有することを特徴とする（１）に記載の仮設緑化ユニット。
【００１０】
（３）前記取付金具はさらに、前記プランター側壁保護板の下端部から前記木製プランターの底壁に沿って延出し、前記木製プランターを下方から支持するプランター支持板を有することを特徴とする、（１）に記載の仮設緑化ユニット。
【００１１】
（４）前記木製プランターには、緑化植物を植栽する棚部であって、前記背壁から上斜方向に延びる棚部が上下多段に設けられており、前記棚部の基端部には複数の通水孔が形成されていることを特徴とする、（１）乃至（３）のいずれかに記載の仮設緑化ユニット。
【００１２】
（５）前記木製プランターには、緑化植物を植栽する棚部であって、空隙を挟んで前記背壁から離隔した離隔位置から上斜方向に延びる棚部が、上下多段に設けられており、前記空隙にはメッシュ状のシートが配設されていることを特徴とする、（１）乃至（３）のいずれかに記載の仮設緑化ユニット。
【００１３】
（６）前記側壁及び前記プランター側壁保護板を貫通して前記側壁の厚み方向に延びる潅水ホースが、最上段に位置する前記棚部の上方に配設され、前記潅水ホースには、前記最上段に位置する前記棚部に向かって潅水する複数の水供給孔が形成されていることを特徴とする、（４）又は（５）に記載の仮設緑化ユニット。
【００１４】
（７）（６）に記載の仮設緑化ユニットが前記厚み方向に複数並設された仮設壁であって、前記厚み方向に隣接する前記仮設緑化ユニットのうち、一方の前記仮設緑化ユニットに配設された前記潅水ホースの端部と、他方の前記仮設緑化ユニットに配設された前記潅水ホースの端部とを接続するためのジョイント部材が設けられていることを特徴とする仮設壁。
【発明の効果】
【００１５】
本発明によれば、木製プランターを仮囲いパネルに強固に固定し、かつ外部からの衝撃等から木製プランターを保護することができる。
【図面の簡単な説明】
【００１６】
【図１】第１実施形態における仮設緑化ユニットの斜視図である。
【図２】第１実施形態における仮設緑化ユニットの別の斜視図である。
【図３】仮囲いパネルの裏面図である。
【図４】第１実施形態における木製プランターの斜視図である。
【図５】図４の一点鎖線で示す切断線Ｃ−Ｃに沿ってＺＸ平面で切断した木製プランターの断面図である。
【図６】第１実施形態における取付金具の斜視図である。
【図７】図２に示す一点鎖線Ｐ１に沿ってＺＸ平面で切断した切断面の一部における断面図であって、破線で囲まれた領域Ａの拡大断面図である。
【図８】図２に示す一点鎖線Ｐ２に沿ってＹＺ平面で切断した切断面の一部における断面図であって、破線で囲まれた領域Ｂの拡大断面図である。
【図９】第２実施形態における仮設緑化ユニットの斜視図である。
【図１０】第２実施形態における仮設緑化ユニットの底面図である。
【図１１】第２実施形態における取付金具の斜視図である。
【図１２】第３実施形態における仮設緑化ユニットの斜視図である。
【図１３】第３実施形態における木製プランターの斜視図である。
【図１４】図１３の一点鎖線で示す切断線Ｄ−Ｄに沿ってＺＸ平面で切断した木製プランターの断面図である。
【図１５】仮設壁の斜視図である。
【図１６】仮設壁の裏面図である。
【図１７】変形例１における仮設緑化ユニットの斜視図である。
【図１８】変形例２における取付金具の斜視図である。
【発明を実施するための形態】
【００１７】
（第１の実施形態）
以下、本発明に係る実施形態について、図面を参照しながら説明する。図１は、第１実施形態における仮設緑化ユニットの斜視図である。図２は、第１実施形態における仮設緑化ユニットの別の斜視図である。ここで、図１及び図２における斜線部分は、取付金具を示しており、他の図面においても斜線部分は取付金具を示すものとする。また、これらの図において、Ｘ軸は仮囲いパネルの厚み方向、Ｙ軸は仮囲いパネルの幅方向、Ｚ軸は仮囲いパネルの高さ方向にそれぞれ対応しており、Ｘ軸、Ｙ軸、Ｚ軸の定義は他の図面においても同様とする。
【００１８】
図１及び２を参照して、仮設緑化ユニット１は、仮囲いパネル２と、箱状の木製プランター３と、取付金具４と、を備える。木製プランター３は、仮囲いパネル２の裏面側、すなわち作業現場側に設けられている。これにより、木製プランター３が通行人の邪魔にならず、また、木製プランター３内に潅水された水が通行人にかかることや歩道に漏出することを防止できる。
【００１９】
以下、仮設緑化ユニット１を構成する各部の詳細について説明する。図３は、仮囲いパネルの裏面図である。図１乃至３を参照して、仮囲いパネル２は、緑化用開口部２１ａが形成されたパネル本体２１と、パネル本体２１の幅方向（Ｙ軸方向）の両端部に形成された段差形状部２２と、を備える。複数の仮設緑化ユニット１の段差形状部２２を互いに嵌合させることで、仮設緑化ユニット１を並設して作業現場を覆うことが可能となる。段差形状部２２は、パネル本体２１と平行に延在する取付面２２０を備える。取付面２２０には、その厚み方向に延びる第一締結孔２２１が、上下に所定の間隔で複数形成されている。各第一締結孔２２１は、ボルト５１ａが挿通する構造となっている。ボルト５１ａ及び第一締結穴２２１の詳細は後述する。
【００２０】
木製プランター３内に植栽された緑化植物（不図示）は、緑化用開口部２１ａを介して、作業現場の外側（歩道側）を臨む位置に配設されている。これにより、通行人が仮囲いパネル２を見たときに受ける殺伐とした印象を改善することができる。
【００２１】
図４は、第１実施形態における木製プランターの斜視図である。図５は、図４の一点鎖線で示す切断線Ｃ−Ｃに沿ってＺＸ平面で切断した木製プランターの断面図である。図１、２、４、及び５を参照して、木製プランター３は、一対の側壁３１、背壁３２、底壁３３、及び天壁３４から形成される。側壁３１はＺＸ平面に延在し、背壁３２はＹＺ平面に延在し、底壁３３及び天壁３４はＸＹ平面に延在している。側壁３１、底壁３３、及び天壁３４にそれぞれ形成された溝部（不図示）に背壁３２を嵌合させることで、木製プランター３を箱状に形成することができる。側壁３１には、その厚み方向に延びる第二締結孔３１０が、千鳥状に複数形成されている。各第二締結孔３１０は、第二締結部材５２が螺合する構造となっている。第二締結部材５２及び第二締結孔３１０の詳細は後述する。底壁３３には、その厚み方向に貫通する水排出孔３３０が設けられており、天壁３４には、その厚み方向に貫通する複数の雨水収集孔３４０が設けられている。水排出孔３３０は円形である。また、雨水収集孔３４０の形状は、Ｙ軸方向の両端部にＲを有し、Ｘ軸方向の長さが水排出孔３３０の直径より大きい、レーストラック形状である。
【００２２】
木製プランター３には、緑化植物（不図示）を植栽する棚部３５が、上下多段に設けられている。棚部３５は、背壁３２から上斜方向に延びている。棚部３５の基端部には、その厚み方向に貫通する複数の通水孔３５０が形成されている。
【００２３】
側壁３１及びプランター側壁保護板４２にはそれぞれ、第一潅水ホース孔３１１と第二潅水ホース孔４２１が形成されており、図１におけるＹ軸方向視において、第一潅水ホース孔３１１と第二潅水ホース孔４２１とが互いに重なり合っている。これらの第一潅水ホース孔３１１と第二潅水ホース孔４２１に対して、側壁３１の厚み方向に延びる潅水ホース６０が挿通されている。潅水ホース６０は、最上段に位置する棚部３５ａの上方に配設されている。また、潅水ホース６０には、最上段に位置する棚部３５ａに向かって潅水する複数の水供給孔（不図示）が形成されている。
【００２４】
底壁３３に水排出孔３３０を設けることで、底壁３３まで落ちてきた水を、木製プランター３の外部に排出することができる。天壁３４に雨水収集孔３４０を設けることで、雨天時に、天壁３４から木製プランター３内に雨水を導くことができる。ただし、本発明における水排出孔３３０及び雨水収集孔３４０の形状は、上述した形状に限られず、通水可能な形状であればよい。つまり、水排出孔３３０は、円形以外の形状（例えば、楕円形、四角形等）であってよく、雨水収集孔３４０は、レーストラック形状以外の形状（例えば、円形、楕円形、四角形等）であってよい。
【００２５】
棚部３５が背壁３２から延びて形成されることで、各緑化植物を各棚部３５が独立して支持することができる。これにより、下段の棚部３５に植栽されている緑化植物に、上段の棚部３５に植栽されている緑化植物の重みがかかりづらくなるため、下段の棚部３５に植栽された緑化植物の土の硬化を防止できる。その結果、緑化植物の根の成長阻害が抑制され、緑化植物がより多くの水分を吸収できる。
【００２６】
通水孔３５０に向かって棚部３５が傾斜しているため、棚部３５で受水した水を通水孔３５０に流動させることができる。これにより、通水孔３５０から下段の棚部３５に、より早く多量に水を供給できるため、結果として、上下多段に設けられた棚部３５全体に十分な水をより早く供給できる。また、緑化植物が歩道側へ落下することを防止できる。
【００２７】
潅水ホース６０を最上段に位置する棚部３５ａの上方に配設することで、重力を利用して、上段の棚部３５から下段の棚部３５に向かって水を供給することができるため、人間が自ら緑化植物に潅水する手間を省くことができる。
【００２８】
図１、２、４、及び５では、棚部３５の先端部を上方に湾曲した形状としているが、本発明はこれに限られず、湾曲部を省略してもよい。この場合、棚部３５は背壁３２から上斜方向に直線状に延びたストレート形状となる。
【００２９】
図６は、第１実施形態における取付金具の斜視図である。図１、２、及び６を参照して、取付金具４は、取付面２２０に取り付けられるフランジ部４１と、側壁３１を保護するプランター側壁保護板４２と、背壁３２を保護するプランター背壁保護板４３と、を有する。フランジ部４１には、その厚み方向に貫通した第三締結孔４１０が、上下に所定の間隔で複数形成されている。第三締結孔４１０は、第一締結孔２２１に対応しており、ボルト５１ａが挿通する。ボルト５１ａ及び第三締結孔４１０の詳細は後述する。プランター側壁保護板４２は、フランジ部４１のＹ軸方向の端部から側壁３１に沿って延出している。これにより、プランター側壁保護板４２によって側壁３１が覆われるため、側壁３１に加わる衝撃を緩和することができる。プランター側壁保護板４２の役割の詳細は後述する。プランター側壁保護板４２には、その厚み方向に貫通した第四締結孔４２０が、千鳥状に複数形成されている。第四締結孔４２０は、第二締結孔３１０に対応しており、第二締結部材５２が挿通する。第二締結部材５２及び第四締結孔４２０の詳細は後述する。プランター背壁保護板４３は、プランター側壁保護板４２のＸ軸方向の端部から背壁３２に沿って延在している。これにより、プランター背壁保護板４３が背壁３２を覆うため、背壁３２への衝撃を緩和することができる。プランター背壁保護板４３の役割の詳細は後述する。
【００３０】
図７は、図２に示す一点鎖線Ｐ１に沿ってＺＸ平面で切断した切断面の一部における断面図であって、破線で囲まれた領域Ａの拡大断面図である。図８は、図２に示す一点鎖線Ｐ２に沿ってＹＺ平面で切断した切断面の一部における断面図であって、破線で囲まれた領域Ｂの拡大断面図である。図３、４、７、及び８を参照して、仮囲いパネル２と木製プランター３とを固定する方法について詳細に説明する。第一締結孔２２１と第三締結孔４１０とは、Ｘ軸方向視において互いに重なり合っている。ボルト５１ａが第一締結孔２２１と第三締結孔４１０とを挿通して、ナット５１ｂによって締結されることで、取付面２２０とフランジ部４１とが固定され、仮囲いパネル２と取付金具４とが固定される。第二締結孔３１０と第四締結孔４２０とは、Ｙ軸方向視において互いに重なり合っている。第二締結部材５２が第四締結孔４２０を挿通して、第二締結孔３１０において螺合することで、側壁３１とプランター側壁保護板４２とが固定され、木製プランター３と取付金具４とが固定される。すなわち、第一締結部材５１（ボルト５１ａ及びナット５１ｂ）と第二締結部材５２とを用いることで、取付金具４を介して、仮囲いパネル２と木製プランター３とが互いに固定される。
【００３１】
ボルト５１ａには、例えば、ボルト形状のビスを用いることができる。第二締結部材５２には、例えば、木ビスを用いることができる。また、ナット５１ｂは、取付面２２０に溶接されて固定されていることが好ましい。
【００３２】
図８を参照して、プランター側壁保護板４２の役割について説明する。プランター側壁保護板４２が存在しない場合、側壁３１が外部からの衝撃等を直接受けるため、剛性の低い木製プランター３は容易に破損することが懸念される。これに対して、プランター側壁保護板４２を設けることで、側壁３１がプランター側壁保護板４２で覆われるため、外部からの衝撃等はプランター側壁保護板４２を介して緩和され、側壁３１が受ける衝撃等は軽減される。すなわち、木製プランター３を破損から保護することができる。
【００３３】
プランター背壁保護板４３を設けることで、背壁３２がプランター背壁保護板４３で覆われるため、外部からの衝撃等はプランター背壁保護板４３を介して緩和され、背壁３２が受ける衝撃等は軽減される。また、本実施形態における取付金具４が有するプランター側壁保護板４２とプランター背壁保護板４３とによって形成される形状は、Ｚ軸方向視においてコの字状である。これにより、プランター背壁保護板４３が受けた衝撃等がプランター側壁保護板４２を介して分散されるため、Ｘ軸方向の衝撃等に対する剛性が高まる。すなわち、木製プランター３をより確実に保護することができる。
【００３４】
（第２の実施形態）
図９は、第２実施形態における仮設緑化ユニットの斜視図である。図１０は、第２実施形態における仮設緑化ユニットの底面図である。図１１は、第２実施形態における取付金具の斜視図である。ここで、第１実施形態と機能が共通している要素には同一符号を付しており、以降の実施形態においても同様とする。これらの図を参照して、取付金具４は、フランジ部４１と、プランター側壁保護板４２と、木製プランター３を下方から支持するプランター支持板４４と、を有する。プランター支持板４４は、プランター側壁保護板４２の下端部から、底壁３３に沿って延出している。
【００３５】
プランター支持板４４を設けることで、木製プランター３が下方から支持されるため、木製プランター３をプランター支持板４４に載せたまま緑化植物を植栽することができ、現場作業員の負担が軽減する。
【００３６】
（第３の実施形態）
図１２は、第３実施形態における仮設緑化ユニットの斜視図である。図１３は、第３実施形態における木製プランターの斜視図である。図１４は、図１３の一点鎖線で示す切断線Ｄ−Ｄに沿ってＺＸ平面で切断した木製プランターの断面図である。図１２乃至１４における網掛け部分はメッシュ状のシートを示している。これらの図を参照して、木製プランター３には、緑化植物（不図示）を植栽する棚部３５´が、上下多段に設けられている。棚部３５´は、空隙を挟んで背壁３２からＸ軸方向に離隔した離隔位置から上斜方向に延びており、空隙にはメッシュ状のシート３５１が配設されている。
【００３７】
メッシュ状のシート３５１を配設することにより、各段において水はけがよくなるため、下段の緑化植物により多くの水を供給することができる。また、メッシュ状のシート３５１の全面から水を下段に供給することができるため、緑化植物に水をより均等に供給することが可能となる。
【００３８】
また、第１実施形態及び第２実施形態に示す棚部３５と同様に、棚部３５´及びメッシュ状のシート３５１が、各緑化植物をそれぞれ独立して支持するため、下段の棚部３５に植栽されている緑化植物の土の硬化が防止される。これにより、緑化植物の根の成長阻害が抑制され、緑化植物がより多くの水分を吸収できる。
【００３９】
第１実施形態及び第２実施形態に示す棚部３５と同様に、棚部３５´がメッシュ状のシート３５１に向かって傾斜している。これにより、水をメッシュ状のシート３５１に流動させることができ、上下多段に設けられた棚部３５´全体に十分な水をより早く供給できる。また、緑化植物の歩道側への落下を防止できる。
【００４０】
（第４の実施形態）
図１５は、仮設壁の斜視図である。図１６は、仮設壁の裏面図である。ここで、仮設壁は、複数の仮設緑化ユニット１の段差形状部２２を互いに嵌合させて側壁３１の厚み方向に並設することで形成される。これらの図を参照して、仮設壁１０において、Ｙ軸方向に隣接する一方の仮設緑化ユニット１に配設されている潅水ホース６０と、他方の仮設緑化ユニット１に配設されている潅水ホース６０とは、それぞれ分離して独立している。これらの潅水ホース６０は、ジョイント部材６１によって接続されている。
【００４１】
ジョイント部材６１の役割について説明する。一本の長尺な潅水ホースを仮設壁に配設する場合、現場作業員が各仮設緑化ユニットに順次潅水ホースを挿通していく必要があり、作業負担が大きい。これに対して、ジョイント部材６１を設けた場合、潅水ホース６０は個々の仮設緑化ユニット１に独立して配設される。したがって、現場作業員は、各仮設緑化ユニット１に配設されている潅水ホース６０同士をジョイント部材６１によって接続するだけで、潅水設備を整えることができるため、現場作業員の作業負担を大幅に軽減できる。
【００４２】
図１５及び１６では、一対の側壁３１及び一対のプランター側壁保護板４２にそれぞれ、第一潅水ホース孔３１１及び第二潅水ホース孔４２１が形成されているが、これに限られるものではなく、一対の側壁３１のうち一方にのみ第一潅水ホース孔３１１を形成し、一対のプランター側壁保護板４２のうち一方にのみ、第一潅水ホース孔３１１に対応する第二潅水ホース孔４２１を形成してよい。
【００４３】
なお、図１５において、第１実施形態及び第２実施形態の木製プランター３を図示しているが、本実施形態において、第３実施形態の木製プランター３（図１３に示す木製プランター３であって、棚部３５´と背壁３２との空隙にメッシュ状のシート３５１が配設されている木製プランター３）を用いてもよいことは言うまでもない。
【００４４】
また、図１６において、第１実施形態における取付金具４を図示しているが、本実施形態において、第２実施形態の取付金具４（図１１に示す取付金具４であって、プランター支持板４４を有する取付金具４）を用いてもよいことは言うまでもない。
【００４５】
（変形例１）
上述の実施形態では、木製プランター３に棚部３５又は３５´が設けられているが、本発明はこれに限るものではなく、図１７に示すように、木製プランター３に棚部を設けなくてもよい。図１７は、変形例１における仮設緑化ユニットの斜視図である。この場合、棚部が設けられていないことで木製プランター３が軽量化し、第二締結部材５２や第二締結孔３１０にかかる負荷が緩和されるため、仮設緑化ユニット１の経時劣化を抑制できる。また、木製プランター３内のスペースが増えるため、より大きい緑化植物（不図示）を植栽することができる。
【００４６】
（変形例２）
上述の実施形態では、取付金具４は、プランター背壁保護板４３又はプランター支持板４４を有しているが、本発明はこれに限るものではなく、図１８に示すように、プランター背壁保護板４３及びプランター支持板４４を省略する構成としてもよい。図１８は、変形例２における取付金具の斜視図である。この場合、取付金具４が軽量化し、第二締結部材５２や第四締結孔４２０にかかる負荷が緩和されるため、仮設緑化ユニット１の経時劣化を抑制できる。また、取付金具４の製造コストを削減できる。
【符号の説明】
【００４７】
１      仮設緑化ユニット
２      仮囲いパネル
３      木製プランター
４      取付金具
１０    仮設壁
２１ａ    緑化用開口部
２１    パネル本体
２２    段差形状部
３１    側壁
３２    背壁
３３    底壁
３４    天壁
３５、３５´      棚部
３５ａ、３５´ａ    最上段に位置する棚部
４１    フランジ部
４２    プランター側壁保護板
４３    プランター背壁保護板
４４    プランター支持板
５１    第一締結部材
５２    第二締結部材
６０      潅水ホース
６１      ジョイント
２２０    取付面
２２１    第一締結孔
３１０    第二締結孔
３１１    第一潅水ホース孔
３３０    水排出孔
３４０    雨水収集孔
３５０    通水孔
３５１    メッシュ状のシート
４１０    第三締結孔
４２０    第四締結孔
４２１    第二潅水ホース孔
【図１】
2018193773.tif 000003
【図２】
2018193773.tif 000004
【図３】
2018193773.tif 000005
【図４】
2018193773.tif 000006
【図５】
2018193773.tif 000007
【図６】
2018193773.tif 000008
【図７】
2018193773.tif 000009
【図８】
2018193773.tif 000010
【図９】
2018193773.tif 000011
【図１０】
2018193773.tif 000012
【図１１】
2018193773.tif 000013
【図１２】
2018193773.tif 000014
【図１３】
2018193773.tif 000015
【図１４】
2018193773.tif 000016
【図１５】
2018193773.tif 000017
【図１６】
2018193773.tif 000018
【図１７】
2018193773.tif 000019
【図１８】
2018193773.tif 000020